(57)【要約】【課題】  非生物由来の汚染原因（物質）の除去・分解の効果が、生物由来の汚染原因（物質）の除去・不活化効果と同程度に得ることが出来る空気浄化素子の提供。【解決手段】  正負イオンを発生するイオン発生電極１０３を有するイオン発生素子１０１と、空気（１０４）の汚染物質を除去／分解する為の触媒１１２とを備え、イオン発生電極１０３が発生させた正負イオンにより、空気（１０４）の汚染を浄化する空気浄化素子。触媒１１２は、酸化物系触媒、金属系触媒又はこれらの混合物である構成である。【選択図】        図１
2005224307.tif 000002
【特許請求の範囲】
【請求項１】
正負イオンを発生するイオン発生電極を有するイオン発生素子と、空気の汚染物質を除去／分解する為の触媒とを備え、前記イオン発生電極が発生させた正負イオンにより、前記空気の汚染を浄化する空気浄化素子であって、
前記触媒は、酸化物系触媒、金属系触媒又はこれらの混合物であることを特徴とする空気浄化素子。
【請求項２】
正負イオンを発生するイオン発生電極を有するイオン発生素子と、空気の汚染物質を除去／分解する為の触媒とを備え、前記イオン発生電極が発生させた正負イオンにより、前記空気の汚染を浄化する空気浄化素子であって、
前記触媒は、前記イオン発生電極が発生させた正負イオンが到達する領域内に配置されていることを特徴とする空気浄化素子。
【請求項３】
前記触媒は、前記イオン発生電極が発生させた正負イオンの空気中濃度が、少なくとも１千万個／ｃｍ3 以上である領域に配置されている請求項２記載の空気浄化素子。
【請求項４】
正負イオンを発生するイオン発生電極を有するイオン発生素子と、空気の汚染物質を除去／分解する為の触媒とを備え、前記イオン発生電極が発生させた正負イオンにより、前記空気の汚染を浄化する空気浄化素子であって、
前記触媒は、前記イオン発生電極に担持されていることを特徴とする空気浄化素子。
【請求項５】
前記触媒は、前記イオン発生電極が発生させた正負イオンが到達する領域内に配置されている請求項１又は４に記載の空気浄化素子。
【請求項６】
前記触媒は、前記イオン発生電極に担持されている請求項１から３，５の何れか１つに記載の空気浄化素子。
【請求項７】
前記触媒を加熱する為の加熱手段を更に備えている請求項１から６の何れか１つに記載の空気浄化素子。
【請求項８】
請求項１から７の何れか１つに記載された空気浄化素子と、該空気浄化素子のイオン発生電極が発生させた正負イオンを外部へ放出する為の送風手段とを備えることを特徴とする空気浄化装置。
【発明の詳細な説明】
【技術分野】
【０００１】
本発明は、空気中に存在する、塵埃（糸屑や埃（ホコリ））等の非生物に由来する汚染原因と、カビ、浮遊菌、ウイルス、花粉及びダニ等のアレルゲン成分である生物に由来する汚染原因との両方に対して、除去・分解・不活化効果を有する空気浄化素子、及びそれを備えた空気浄化装置に関するものである。
【背景技術】
【０００２】
近年、住宅環境の密閉度合が高まり、室内の空気が滞留し勝ちであることから、また、人々の環境意識の変化等から、室内の空気を浄化することにより、匂いや汚れを除去して、健康で快適な生活を送りたいという要望が高まっている。
ここで、室内の空気の汚れというものは、複数の要因が重なっているが、汚染原因としては、大きく次の２種類に分類することが出来る。
原因その（１）：カビ、浮遊菌、ウイルス、花粉及びダニ等のアレルゲン成分である生物に由来する汚染原因によるもの
原因その（２）：人工化学物質及びＶＯＣ（揮発性有機化合物）等の非生物に由来する汚染原因によるもの
に分類される。
【０００３】
これらの各種成分が、住宅等の室内空間中で混在することにより、様々な匂いとなったり、人体に有害な影響を与える原因となる。
従って、人々が健康で快適な生活を送る為には、これらの原因を効果的に取り除く、又は人体に対して無害化することが望まれるものであり、そのような機能を有する商品としての需要も非常に高いものとなっている。
【０００４】
これらの汚染原因の除去方法について以下に記す。
先ず、（１）カビ、浮遊菌、ウイルス、花粉及びダニ等のアレルゲン成分である生物に由来するものに関しては、大気中の正負イオンを利用する方法が非常に好ましい方法として用いられる。
特許文献１においても開示されているように、イオン発生装置を用いた空気調節装置においては、殺菌作用又は脱臭作用が得られる。大気中のイオンの効果を利用するイオン発生装置の作動原理は、プラズマ領域を形成してイオンを発生するイオン発生電極を有するイオン発生素子の電極間に、交流の高電圧（多くの場合はパルス電圧）を印加すると、放電によりイオン発生電極から正イオンと負イオンとが発生するというものである。
【０００５】
発生する正イオンとしてはＨ+ （Ｈ2 Ｏ）m （ｍは任意の自然数）が、負イオンとしてはＯ2-（Ｈ2 Ｏ）n （ｎは０以上の整数）が最も安定して生成する。これらの正イオン及び負イオン（まとめて正負イオンと記す）が、空気中に同時に生成すると、化学反応を起こし、活性種である過酸化水素Ｈ2 Ｏ2 又はヒドロキシラジカル・ＯＨを生成する。これらの過酸化水素Ｈ2 Ｏ2 又はヒドロキシラジカル・ＯＨが、極めて強力な活性を示し、これにより、空気中のカビ、浮遊菌及びウイルスを不活化・除去することが出来る。
【０００６】
カビ、浮遊菌、ウイルス、花粉及びダニ等のアレルゲン成分を不活化・除去する為、イオン発生素子のイオン発生電極で発生する正負イオンを、より広い範囲に拡散させるには、イオン発生装置から正負イオンを放出する送風手段を更に備えていることが望ましい。送風手段を用いずに、イオン発生装置を単独で使用する場合は、イオン発生装置で発生した正負イオンが空間に十分に拡散する前に、イオン発生電極の近傍で正イオンと負イオンとが中和反応を起こして、電荷を失い効力が無くなることがあるからである。
【０００７】
ここで言う、正負イオンを空間に拡散させる為の送風手段の運転方法については、特に限定されるものではない。連続運転でもよいし、また、運転と停止の繰り返しといった方法でも構わないが、イオン発生素子の電極で発生した正負イオンを空間に効率的に拡散・放出させることが効果的である。更に、送風手段の形状に関しても、特に限定されるものではない。
【０００８】
図６は、従来の空気浄化装置の概要構成例を模式的に示す説明図である。この空気浄化装置は、カビ、浮遊菌、ウイルス、花粉及びダニのアレルゲン成分等を除去・不活化することに効果的であり、イオン発生素子６０１と送風手段６０２とから構成されている。送風手段６０２は、イオン発生素子６０１で発生した正負イオンを空間に効果的に拡散させる為に、殆どの場合に用いられる。
イオン発生素子６０１の表面には、誘電体６２０が設けられ、この誘電体６２０の裏側には、誘電電極６２１が設けられ、この誘電電極６２１と対向するように、誘電体６２０表面には、イオン発生電極６０３が取付けられている。図６では、イオン発生電極６０３の形状は網状となっているが、特にこれに限定されるものではなく、公知の針型等を用いても良い。
【０００９】
イオン発生電極６０３及び誘導電極６２１は、リード線６２２を通じて高圧パルス駆動回路６２３に接続されている。高圧パルス駆動回路６２３は、イオン発生素子６０１の内部に収納されている。
このような構成であるイオン発生素子６０１において、イオン発生素子６０１を駆動する（つまり、イオン発生電極６０３及び誘導電極６２１間に正負電圧からなる、ピーク値が例えば約２．７ｋＶであるパルス電圧を印加し、送風手段６０２を駆動する）ことにより、汚れた空気６０４が、通風路６０５を通り、イオン発生素子６０１を通過し、イオン発生電極６０３から発生したイオンを含み、イオンを充分に含んだ空気６０６となって、空間に放出されることになる。
【００１０】
イオンを充分に含んだ空気６０６は、正イオンと負イオンとを両方含んでおり、空気中に放出されると、空気中に存在するカビ、浮遊菌、ウイルス、花粉及びダニのアレルゲン成分を不活化・除去するという効果的な影響を、空気に与えることができる。
尚、現在、実用化されている空気調節装置・空気調和装置では、正イオンは発生させずに負イオンのみを発生させる素子や装置が知られている。このような素子や装置においては、負イオンを空間に放出することにより、人間の精神状態をリラックスさせる効果が期待出来ると言われている。
【００１１】
しかし、空気中のカビ、浮遊菌、ウイルス、花粉及びダニのアレルゲン成分等の生物由来の汚染原因を除去・不活化する為には不十分となることがあり、上述したように、正イオンと負イオンとを同時に発生させて、空間に放出することがより効果的である。これは、負イオンだけを発生させて空間に拡散放出しても、活性種である過酸化水素Ｈ2 Ｏ2 又はヒドロキシラジカル・ＯＨが生成しないので、除去・不活化の効果が得られないことが大きな理由である。
【００１２】
このようなイオン発生素子６０１を用いたカビ、浮遊菌、ウイルス、花粉及びダニ等のアレルゲン成分の除去・不活化方法は、従来の空気調整機の手法であった各種のフィルターによる手法と比べて、フィルターの交換が不要であり、メンテナンスコストが小さいこと、空間の隅々に効果が波及すること等の長所を有し、安全な殺菌装置や脱臭装置を実現出来るという大きな利点がある。
【００１３】
イオン発生素子６０１から発生する正負イオンを用いて、カビ、浮遊菌、ウイルス、花粉及びダニ等のアレルゲン成分の除去・不活化の効果を発揮させる為には、ある程度イオン濃度を高めることが効果的であり、イオン発生素子６０１の吹出しから１０ｃｍ程度の場所で、正イオン濃度及び負イオン濃度がそれぞれ５万個／ｃｍ3 程度あれば、カビ、浮遊菌及びウイルスに対して充分な除去効果が発揮される。
また、よりイオン濃度を高める方法は、特に限定されるものではなく、例えば、イオン発生素子６０１に印加する電圧を高めたり、パルス電圧印加のデューティ比を変えたり、周波数を高くしたりすることにより達成することが出来る。また、イオン発生電極６０３の配線パタンやイオン発生電極６０３の表面積を変える方法も有効である。
【００１４】
次に、（２）人工化学物質ＶＯＣ（揮発性有機化合物）等の非生物由来の汚染原因の除去方法に関して記す。
空間に存在するＶＯＣ（揮発性有機化合物）が人体に与える影響については、近年大きな社会問題となっている。特に、人が生活する住宅関係においては、ＶＯＣがシックハウス症候群の原因となっており、ＶＯＣの効果的な除去・分解技術の確立が急務となっている。
【００１５】
ここで、ＶＯＣとは、揮発性有機化合物の総称であり、種類は非常に多く、厚生労働省が目標数値を規定している物質だけでも１４種類ある。例えば、代表的なものだけでも、ホルムアルデヒド、アセトアルデヒド、トルエン、キシレン、アンモニア、クロロホルム、パラジクロロベンゼン、スチレン、ノナナール、ｎ−テトラデカン、エチルベンゼン、スチレン等が挙げられる。
これらの非生物由来の汚染物質は、何れも揮発性を有し、常温の室内空間にある程度の濃度（極低濃度であることが多い）で浮遊する。この浮遊している成分が、人に対しては悪影響を及ぼし、シックハウス症候群の主原因となっている。
【００１６】
これらのＶＯＣは、何れも人体に対して悪影響を及ぼすが、その中でも、特にホルムアルデヒド、アセトアルデヒド、トルエン、キシレンは、住宅の部材関係で接着剤等に広く用いられており、住宅内では、これらが揮発し、人体に対して悪影響を与える。従って、これらの化学物質を先ず除去・分解して、無害化する技術を確立することが、シックハウス症候群の解決に向けた当面の課題となっている。
【００１７】
生物に由来する汚染原因を効果的に除去・不活化出来る、イオン発生素子による正負イオンを用いることにより、非生物由来の汚染原因であるＶＯＣ等に対しても、ある程度除去・分解出来ることが、分析機関が実施した試験により確認されている。例えば、シックハウス症候群の主要原因物質であるホルムアルデヒドに対しても、除去・分解効果を有することが確認されている。
【００１８】
ところが、ＶＯＣは、様々な揮発性有機化合物の総称であり、種類が極めて多岐に亘っていることから、ある物質には正負イオンがまったく効果を示さない場合もある。即ち、イオン発生素子から発生する正負イオンの単独の効果で、全てのＶＯＣといった非生物由来の汚染原因を効果的に除去・分解することは、不可能であるのが現状である。
【００１９】
ところで、ＶＯＣを除去する方法として、従来から、触媒による除去・分解効果を用いる方法が知られている。この方法では、様々なＶＯＣに対して、特異的に作用する高性能な触媒が開発されている。
触媒には、各種の種類が知られているが、公知の触媒としては、酸化チタン（ＴｉＯ2 ）による光触媒がある。光触媒の原理やメカニズムは、詳細に調べられており、太陽光の紫外線成分による。二酸化チタンからなる光触媒に紫外線が照射されると、触媒の表面からは電子が飛び出し、正孔が形成される。これらの酸化還元反応により、強い酸化力を持つＯＨラジカル（・ＯＨ）が生成することによるものである。このＯＨラジカルの作用により、有害な物質が分解される。
【００２０】
酸化チタンを用いた光触媒は、多方面に利用されており、住宅環境でも広く用いられている。例えば、住宅部材の天井・壁面等、自動車用品、台所環境、建物の外壁、ガードレール等の外部の建築物等、光（紫外線）が照射される環境であれば、どこでも用いることが出来る。また、光触媒の場合は、表面の汚れさえ取り除けば、半永久的に効果を発揮することが出来ることも優れた特徴のひとつである。
【００２１】
また、他の例としては、自動車等の排気ガスの無害化に用いられるものがある。排気ガス中で問題となる窒素酸化物（以下ＮＯｘと記す）及び硫黄酸化物（以下ＳＯｘと記す）を除去出来るというものである。例えば、ＮＯｘであれば、Ｎ2 等の無害な物質に変換される。従来から触媒としては、酸化銅―酸化マンガン系、酸化ニッケル系、酸化鉄系及び酸化銅−酸化クロム系等の酸化物系触媒と、白金、パラジウム、銅及びバナジウム等をシリカゲルやアルミナやチタン等の成形担体に担持させた貴金属系触媒とがよく知られている。
【００２２】
従って、これらの貴金属触媒を利用することにより、住宅環境においても問題となるＶＯＣを分解・除去することが出来る。
更に、触媒の性能を高める為に、触媒自体を加熱することが効果的な場合もある。温度を上昇させる為に、触媒の周辺に、触媒を加熱する手段や装置を別途設置する方法もある。
【００２３】
一方、貴金属触媒によりＶＯＣを除去する効率を高める為には、触媒として用いる非金属や金属自体の性能を高めることが求められる。この為には担持させる貴金属の密度を高くする方法、及び送風手段により送られる空気と接触する割合を高める為に、触媒を担持する表面積を大きくする方法が効果的である。また、一般的に、触媒の温度を高めることにより、触媒活性が高まるので、ＶＯＣ除去・分解の効果を大きくすることが出来、その為に、触媒を加熱する為の手段を設けることが出来る。
【００２４】
従って、触媒の効果を高める為に、加熱手段を併せて設けることも出来る。加熱手段として、ニクロム線等の加熱用熱源を埋め込むことにより、ＶＯＣ除去の効果を高めることも、併せて出来ることになる。
以上より、触媒を用いることにより、ＶＯＣといった非生物由来の汚染原因を効果的に除去・分解することが出来る。
【００２５】
以下に、これらの触媒を用いた場合の、ＶＯＣ除去・分解に関する具体的な化学反応式（一例）を記す。
炭化水素（一般式はＣn Ｈm とする）においては、
Ｃn Ｈm ＋（ｎ＋１／４ｍ）Ｏ2 →ｎＣＯ2 ＋１／２ｍＨ2 Ｏ
となり、人体に無害な二酸化炭素と水とに変化させることが出来る。
また、アンモニアやアミン類に関しては、
４ＮＨ3 ＋３Ｏ2 →４Ｎ2 ＋６Ｈ2 Ｏ
となり、人体に無害な窒素ガスと水とに変化する。
【００２６】
また、窒素酸化物（ＮＯｘ）においては、
４ＮＯ＋４ＮＨ3 ＋Ｏ2 →４Ｎ2 ＋６Ｈ2 Ｏ
６ＮＯ2 ＋８ＮＨ3 →７Ｎ2 ＋１２Ｈ2 Ｏ
４ＮＯ＋ＣＨ4 →２Ｎ2 ＋２Ｈ2 Ｏ＋ＣＯ2
２ＮＯ2 ＋ＣＨ4 →Ｎ2 ＋２Ｈ2 Ｏ＋ＣＯ2
２ＮＯ2 ＋４Ｈ2 →Ｎ2 ＋４Ｈ2 Ｏ
これらの反応で示されるように、触媒は、非生物由来の汚染原因の除去・分解に関して、非常に効果的な作用を示す。
【００２７】
しかし、これらの触媒は、非生物由来の汚染原因であるＶＯＣに対しては、有効な除去・分解効果を与えるものの、カビ、浮遊菌、ウイルス、花粉及びダニのアレルゲン成分等の生物由来の汚染原因に対しては、大きな効果が得られず、貴金属系等の触媒を単独で用いた空気浄化素子では、住宅空間等における空気汚染改善に対して、充分な効果を与えているとは言い難い。
【００２８】
従って、住宅環境の空気を清浄化する為には、ＶＯＣ分解・除去する為の触媒と、活性炭等を用いたフィルターとを組み合わせて用いているのが現状である。即ち、触媒は、ＶＯＣの非生物由来の汚染原因については、除去・分解に効果的な作用を示すが、カビ、浮遊菌、ウイルス、花粉及びダニ等のアレルゲン成分である生物に由来する汚染原因に対しては、殆ど効果的な作用を示さないことが分かっている。つまり、触媒だけを単独で用いても、空気中の２大汚染原因の両方を効果的に除去することが出来ないということである。
【００２９】
そこで、空気中の２大汚染原因である、生物由来の汚染原因と、非生物由来の汚染原因との両方を効果的に除去・分解・不活化する為には、生物由来の汚染原因に対して効果的な作用を及ぼす正負イオンと、非生物由来の汚染原因に対して効果的な作用を及ぼす触媒とを組合わせた空気浄化素子、及びそれを用いた空気浄化装置を開発する。これにより、空気の汚れの２大汚染原因である、（１）カビ、浮遊菌、ウイルス、花粉及びダニ等のアレルゲン成分である生物由来の汚染原因によるもの、及び（２）人工化学物質ＶＯＣである非生物由来の汚染原因によるもの、の両方の汚染原因について、効果的に除去・分解・不活化することが出来る。
【００３０】
ここで、上記の基本的な発明に関しては、本願出願人が既に出願した特願２００３−００５４０３号「空気浄化素子、及びそれを用いた空気浄化装置」において、正負イオン発生素子と、触媒と、空気を拡散する為の放出手段とを組合わせることにより、空気中の生物由来の汚染原因と非生物由来の汚染原因との両方について、効果的に除去・不活化・分解出来ることを開示している。
【００３１】
上記の出願した明細書においては、正負イオン発生素子と触媒との効果を高める為に組合わせる方法として、次の３つの実施の形態を開示している。
方法その１は、イオン発生素子を設置し、その周辺の何れかの領域にＶＯＣ除去触媒と送風手段とを設置している。（図７参照）
方法その２は、イオン発生素子とＶＯＣ除去触媒とを一体型とする。ＶＯＣ除去触媒には併せて、加熱手段を設けると共に、その近傍に送風手段を設置している。（図８参照）
方法その３は、イオン発生素子とＶＯＣ除去触媒とを一体型とし、また、イオン発生電極とＶＯＣ除去触媒とを同じ場所に設置している。（図９参照）
【００３２】
以下に、この３つの方法を更に具体的に記す。
方法その１は、図７に概略的に示すように、イオン発生素子７０１を設置し、その周辺の何れかの領域に触媒効果を示す物質７１２と送風手段（図示せず）とを設置する。このとき、非生物由来の汚染原因を除去・分解する為に用いる触媒７１２は、一般的な形状である粒状のままの状態、即ち触媒効果を示す物質７１２は、担持体（イオン発生素子）７０１に担持された状態でも構わない。担持体７０１の形状については特に限定されない。
【００３３】
このような構成である空気浄化素子では、送風手段（図示せず）により汚れた空気７０４が送り込まれると、触媒効果を示す物質７１２の作用により、ＶＯＣ等の非生物由来の汚染原因が除去・分解される。また、汚れた空気７０４が、イオン発生素子７０１の誘電体７２０上に形成されたイオン発生電極７０３付近を通過すると、カビ、浮遊菌、ウイルス、花粉及びダニのアレルゲン成分等の生物由来の汚染原因と、ＶＯＣ等の非生物由来の汚染原因との両方を除去・不活化出来るイオンを充分に含んだ空気７０８となって、空間に放出されることになる。
このような空気浄化素子の構成のメリットは、本空気浄化素子を製作する為の特別な加工の必要が無く、製造が容易であることである。
【００３４】
この方法を採用した空気浄化装置の概略図は、上述したように、図７に示してある。但し、空気を空間に放出・拡散する為の送風手段については省略してある。イオン発生素子７０１に設置されたイオン発生電極７０３より、カビ、浮遊菌、ウイルス、花粉及びダニ等のアレルゲン成分の除去・不活化効果のある正負イオンが放出される。更に、イオン発生素子７０１の近傍に、ＶＯＣの除去・分解効果のある、触媒効果を示す物質７１２が設置されている。
従って、イオン発生素子７０１と、触媒装置を組み合わせることにより、住宅等の空間中の空気７０４は、ＶＯＣが除去され、また、イオンを充分に含んだ空気７０８となって、空間に放出される。イオン発生素子７０１と触媒装置との位置関係や距離等は、任意に設定することが出来る。
【００３５】
方法その２は、図８に概略的に示すように、イオン発生素子８０１を設置し、その周辺の何れかの領域に、触媒効果を示す物質８１２と送風手段（図示せず）とを設置する。このとき、非生物由来の汚染原因を除去・分解する為に用いる、触媒効果を示す物質８１２は、担持体８１１に担持されているが、更に担持体８１１には、触媒効果を示す物質８１２を加熱する為の加熱手段８１３が設けられていることが特徴となっている。
【００３６】
このような構成である空気浄化素子では、送風手段（図示せず）により汚れた空気８０４が送り込まれると、触媒効果を示す物質８１２の作用により、ＶＯＣ等の非生物由来の汚染原因が除去・分解される。このときに、加熱手段８１３により触媒効果を示す物質８１２の温度を高くすると、触媒作用がより活発になる。また、汚れた空気８０４が、イオン発生素子８０１の誘電体８２０上に形成されたイオン発生電極８０３付近を通過すると、カビ、浮遊菌、ウイルス、花粉及びダニのアレルゲン成分等である生物由来の汚染原因と、ＶＯＣ等の非生物由来の汚染原因との両方を除去・不活化できる、イオンを充分に含んだ空気８０８となって、空間に放出されることになる。
【００３７】
方法その３は、図９に概略図的に記すように、正負イオンを発生させるイオン発生素子９０１と、触媒効果を示す物質９１２とを一体型とすることを特徴とする構成となっており、イオン発生素子９０１には加熱手段９１３が設けられている。更に、イオン発生素子９０１の近傍に、空気を送付・拡散させる為の送風手段（図示せず）を設置している。送風手段により、イオン発生素子９０１と触媒効果を示す物質とに、室内の汚れた空気（生物由来の汚染原因と非生物由来の汚染原因とを含む）が送られ、これらのカビ、浮遊菌、ウイルス、花粉及びダニ等のアレルゲン成分とＶＯＣとが除去・不活化・分解されるというものである。
【００３８】
このように、この空気浄化素子は、同一の誘電体９２０にイオン発生電極９０３と触媒効果を示す物質９１２とをまとめて設置したことが大きな特徴である。このように一体化することにより、空気浄化素子のより小型・軽量化を達成することが出来る。これは、イオン発生素子９０１の誘電体９２０に用いられる材料が、アルミナ又はセラミックであり、ＶＯＣを除去する為に用いられる触媒装置の担持体の材料と共通化できることによるものである。
【００３９】
このような構成である空気浄化素子では、送風手段（図示せず）により汚れた空気９０４が送り込まれると、触媒効果を示す物質９１２の作用により、ＶＯＣ等の非生物由来の汚染原因が除去・分解される。このときに、加熱手段９１３により触媒効果を示す物質９１２の温度を高くすると、触媒作用がより活発になる。また、汚れた空気９０４が、イオン発生素子９０１の誘電体９２０上に形成されたイオン発生電極９０３付近を通過すると、カビ、浮遊菌、ウイルス、花粉及びダニのアレルゲン成分等の生物由来の汚染原因と、ＶＯＣ等の非生物由来の汚染原因との両方を除去・不活化できる、イオンを充分に含んだ空気９０８となって、空間に放出されることになる。
【００４０】
従って、これらの方法その１（図７）、方法その２（図８）及び方法その３（図９）の何れの空気浄化素子においても、正負イオン発生素子と触媒とが組合わさった構成となっている。これらを組合わせることにより、空気中の２大汚染原因である生物由来の汚染原因と非生物由来の汚染原因とを、効果的に除去・分解・不活化することが出来る。
【００４１】
上述したように、イオン発生素子とＶＯＣ除去触媒とを組合わせる方法は、特に、ＶＯＣ（揮発性有機化合物）の除去に関しては、正負イオン発生素子と触媒との相乗効果により、正負イオン発生素子だけの効果と触媒だけの効果とを組合わせた場合以上に効果的な作用を及ぼす。
【００４２】
以上、これらの方法その１、方法その２及び方法その３による空気浄化素子及び空気浄化装置を用いることにより、住宅等の空間において問題となる、カビ、浮遊菌、ウイルス、花粉及びダニのアレルゲン成分等の生物由来の汚染原因については、イオン発生素子から発生する正負イオンにより除去・不活化する。また、ＶＯＣ（揮発性有機化合物）等の非生物由来の汚染原因については、触媒効果を示す物質により除去・分解する。これにより、人体に有害な空気成分（汚染原因）が無くなり、その結果として、快適な空間を提供することが出来る。
【特許文献１】特開２００２−６５８３６号公報
【特許文献２】特開平１０−０７３２２６号公報
【特許文献３】特開平１０−０７３２２７号公報
【発明の開示】
【発明が解決しようとする課題】
【００４３】
ところが、本願発明者が発明した特願２００３−００５４０３号（発明の名称；空気浄化素子、及びそれを用いた空気浄化装置）を採用した場合においても、これらの空気浄化素子及びこれを備えた空気浄化装置は、生物由来の汚染原因の除去・不活化効果と比較して、非生物由来の汚染原因の除去・分解という点では、十分に改善されたとは言えない。即ち、生物由来の汚染原因の除去・不活化効果に対して、非生物由来の汚染原因の除去・分解の効果が弱いという問題がある。
【００４４】
本発明は、上述したような事情に鑑みてなされたものであり、非生物由来の汚染原因（物質）の除去・分解の効果が、生物由来の汚染原因（物質）の除去・不活化効果と同程度に得ることが出来る空気浄化素子を提供することを目的とする。
また、本発明は、非生物由来の汚染原因（物質）の除去・分解の効果が、生物由来の汚染原因（物質）の除去・不活化効果と同程度に得ることが出来る空気浄化装置を提供することを目的とする。
【課題を解決するための手段】
【００４５】
特願２００３−００５４０３号において提案した空気浄化素子及びこれを備えた空気浄化装置が、生物由来の汚染原因の除去・不活化効果に対して、非生物由来の汚染原因の除去・分解の効果が弱いという問題は、触媒による除去・分解の反応速度に起因している。正負イオンと触媒とを組合わせることで、正負イオンを助触媒的に作用させたとしても、イオンが触媒の効果を促進する度合いが不十分であることが考えられる。これは、生物由来の汚染原因を除去・不活化する為に最適な正負イオン濃度に対して、非生物由来の汚染原因を除去・分解する為に最適な正負イオン濃度が異なっていることによるものである。
【００４６】
それを示す別の根拠として、次のような結果を得ている。
即ち、次の４条件の空気浄化素子
（１）触媒を設置しない正負イオンだけの空気浄化素子（図６）
（２）方法その１による空気浄化素子(図７)
（３）方法その２による空気浄化素子(図８)
（４）方法その３による空気浄化素子(図９)
を用いて、空気中の非生物由来の汚染物質の除去・分解効果を比較した。尚、非生物由来の汚染原因物質として、シックハウス症候群の主要原因物質であるホルムアルデヒドを用いた。
【００４７】
その結果、ホルムアルデヒドを除去・分解する割合は、（４）→（３）→（２）→（１）の順に低下することが分かった。
先ず、（１）については、正負イオンを発生するイオン発生素子のみからなり、触媒を設置していない構成の空気浄化素子である為、非生物由来の汚染原因に対する効果が最も小さい。
【００４８】
次に、ホルムアルデヒドの除去・分解の割合が、（４）→（３）→（２）の順に低下することについて検討したところ、本願発明者は、触媒及びイオン発生電極間の距離に依存することを見出した。即ち、ホルムアルデヒドを除去・分解する割合が最も小さい、方法その１による空気浄化素子においては、触媒及びイオン発生電極間の距離が最も大きかった。
一方、ホルムアルデヒドの除去・分解の割合が最も大きい、方法その４による空気浄化素子おいては、触媒及びイオン発生電極間の距離が最も小さかった。
【００４９】
上記の実験結果より、触媒及びイオン発生電極間の距離を小さくすることが、非生物由来の汚染原因を除去する為には要求されることになる。イオン発生電極の近くに触媒を設置するということは、即ち、正負イオン濃度の高い領域に触媒を設置するということである。
このような結果から、正負イオンの電気的又は熱的な効果と触媒の効果とを組合わせるには、正負イオン濃度が非常に大きな環境に触媒を設置すれば良いことが判明した。
【００５０】
そこで、非生物由来の汚染原因に対する除去・分解効果を向上させる為、次のような対応を実施している。
イオン発生素子から発生する正負イオンの濃度は、イオン発生素子とイオンを空間に放出する為の送風手段とを組合わせた場合、イオン発生素子からの距離が１０ｃｍにおいては、イオン濃度は正イオン、負イオン共に５万個／ｃｍ3 程度であるが、イオン発生素子からの距離が大きくなるにつれて、イオン濃度は減少していく。これは、正イオンと負イオンとが中和による失活反応を起こしてしまうことや、壁面等への衝突による失活が主な原因である。
従って、正負イオン発生素子と触媒との距離が大きくなると、正負イオンの電気的又は熱的な作用による助触媒としての相乗効果が得られ難くなる。即ち、非生物由来の汚染原因に対する除去・分解効果が低下することを意味している。
【００５１】
そこで、逆に言えば、イオン発生素子のイオン発生電極のごく近傍においては、正負イオン濃度は急激に上昇し、正イオン、負イオン共に１千万個／ｃｍ3 から数億個／ｃｍ3 という濃度にまで高くなっている。このような高濃度の正負イオンが存在する状況においては、ＶＯＣ等の非生物由来の汚染原因に対しての除去・分解効果は、非常に高まると同時に、触媒への電気的又は熱的な作用が高まり、更に、触媒との相互作用効果も非常に高まる。その為、従来の構成である正負イオンのみの場合と比較して、ＶＯＣ等の非生物由来の汚染原因に対する除去・分解の効率が非常に高まる。
【００５２】
従って、このような、正負イオン濃度が極端に高くなる環境に触媒を設置すると、正負イオンの助触媒としての作用が著しく高まり、非生物由来の汚染原因に対する除去・分解効果が飛躍的に高まる。
ここで、正負イオン濃度が１千万個／ｃｍ3 から数億個／ｃｍ3 となる領域とは、電極への電圧印加条件によっても違いはあるが、正負イオン発生電極から数ミリメートル〜１センチメートル程度の範囲である。従って、最も理想的な触媒の設置場所は、イオン発生電極が形成されている領域の内部である。
【００５３】
また、生物由来と非生物由来の両方の汚染原因を除去する空気浄化素子及び空気浄化装置においては、生物由来の汚染原因を除去・不活化するイオン発生素子と、非生物由来の汚染原因を除去・分解する触媒とを組合わせると、素子自体の体積が大きくなり、小型の空気浄化装置に適用する場合に、問題が発生することがあった。しかし、このような空気浄化素子自体の体積（大きさ）の課題に対しても、今回の発明においては、完全に改善されるものである。
【００５４】
即ち、触媒を超高濃度の正負イオンが存在する領域に極めて局所的に設置する為に、空気浄化素子自体の体積は、従来のものと全く変化が無く、また効果的に、生物由来の汚染原因と非生物由来の汚染原因とを除去することが出来る。
即ち、正負イオンが、非生物由来の汚染原因の除去・分解に対して、助触媒的な作用を及ぼしている。この反応メカニズムの詳細については、現在解析中であるが、正負イオンの電気的又は熱的な作用が触媒に影響を与え、触媒が非生物由来の汚染原因に対して有する除去・分解効果を促進していると推測される。
【００５５】
本発明においては、空気中の２大汚染原因物質を除去する効果は、上記特願２００３−００５４０３号と同様に維持しながら、更なる小型化と一体化を実現し、併せて非生物由来の汚染原因に対する除去・分解効果の性能を更に向上させている。
その為に、正負イオンの濃度が非常に高い環境、更に言えば、正負イオン濃度が少なくとも１０、０００、０００個／ｃｍ3 以上存在する環境に、非生物由来の汚染原因を除去・分解する為に効果的な触媒を設置することを特徴としている。即ち、このような超高濃度の正負イオンの電気的又は熱的な作用により、触媒の除去・分解効果を更に促進させることが出来、生物由来の汚染原因に加えて、非生物由来の汚染原因に対する除去・分解効果を高めることが出来る。
【００５６】
従って、本発明は、上記特願２００３−００５４０３号の記載内容を何ら否定するものではなく、正負イオン、触媒及び送風手段から構成される空気浄化素子構造の改良により、更に非生物由来の汚染原因に対する除去・分解効果を高めている。
【００５７】
更に、イオンによる助触媒効果だけではなく、更に触媒を加熱する手段を形成することにより、触媒自体のＶＯＣ等の非生物由来の汚染原因の除去・分解効果をさらに高めることに加えて、生物由来の汚染原因への助触媒効果も高めることが出来る。触媒の加熱方法については、特に限定されるものではなく、公知の手法が可能である。例えば、正負イオンを発生するイオン発生電極と触媒とが形成された近傍に、ニクロム線等の電熱線を用いた加熱手段を設置することにより、容易に触媒を加熱することが出来る。
【００５８】
生物由来の汚染原因を除去・不活化するのに効果的な、図８に示すような、正負イオンを発生するイオン発生素子８０１のイオン発生電極８２０部分は、酸化が起こり難い材料（例えば、タングステン、金、銀、ＳＵＳ３０４等のステンレスを始めとした合金等）が用いられ、これらの電極は、アルミナ等の誘電体上に形成されている。イオン発生電極８２０の形成方法は、印刷法、蒸着法、めっき法、スパッタ法等の公知の手法を用いることが出来る。また、アルミナ等の誘電体の形成方法としては、金属粉末を酸化気流中で燃焼合成するような公知の手法を用いることが出来る。
【００５９】
従って、このような製法でアルミナを形成する際に、非生物由来の汚染物質を除去・分解出来るような触媒となる成分物質を混入して実施すると、アルミナの誘電対中に触媒成分が含有されることになる。
アルミナ等の誘電体に触媒を担持させる方法は、特開平１０−７３２２６号公報及び特開平１０−７３２２７号公報等に詳細に記されている。これらの公報の内容は、以下の通りである。
【００６０】
陽極酸化によって形成させたアルミナ層表面を有する基体を、シリカ源含有溶液中に浸漬した後焼成するゾル・ゲル法を用いて、少なくとも1回処理し、前記アルミナ層の少なくとも表面をＳｉＯ2 の皮膜で被覆して担体を得る。このとき、少なくとも最初の処理において、処理液中に例えばシュウ酸等の弱酸を共存させる。次いで、得られた担体のＳｉＯ2 皮膜表面に触媒を担持させる。
このような手法を採用することにより、表面に連続した触媒体を形成することができる。
【００６１】
従って、上記公報に明記された手法等を用いて、正負イオンを発生させるイオン発生電極が形成されたアルミナ等の誘電体表面に、非生物由来の汚染原因に対して効果的に除去・分解する触媒を担持させることにより、超高濃度の正負イオン濃度となる領域に、触媒を配置することができる。
【００６２】
本発明に係る空気浄化素子は、正負イオンを発生するイオン発生電極を有するイオン発生素子と、空気の汚染物質を除去／分解する為の触媒とを備え、前記イオン発生電極が発生させた正負イオンにより、前記空気の汚染を浄化する空気浄化素子であって、前記触媒は、酸化物系触媒、金属系触媒又はこれらの混合物であることを特徴とする。
【００６３】
この空気浄化素子では、イオン発生素子が、正負イオンを発生するイオン発生電極を有し、触媒が、空気の汚染物質を除去／分解し、イオン発生電極が発生させた正負イオンにより、空気の汚染を浄化する。触媒は、酸化物系触媒、金属系触媒又はこれらの混合物である。
【００６４】
本発明に係る空気浄化素子は、  正負イオンを発生するイオン発生電極を有するイオン発生素子と、空気の汚染物質を除去／分解する為の触媒とを備え、前記イオン発生電極が発生させた正負イオンにより、前記空気の汚染を浄化する空気浄化素子であって、前記触媒は、前記イオン発生電極が発生させた正負イオンが到達する領域内に配置されていることを特徴とする。
【００６５】
この空気浄化素子では、イオン発生素子が、正負イオンを発生するイオン発生電極を有し、触媒が、空気の汚染物質を除去／分解し、イオン発生電極が発生させた正負イオンにより、空気の汚染を浄化する。触媒は、イオン発生電極が発生させた正負イオンが到達する領域内に配置されている。
【００６６】
本発明に係る空気浄化素子は、前記触媒は、前記イオン発生電極が発生させた正負イオンの空気中濃度が、少なくとも１千万個／ｃｍ3 以上である領域に配置されていることを特徴とする。
【００６７】
本発明に係る空気浄化素子は、正負イオンを発生するイオン発生電極を有するイオン発生素子と、空気の汚染物質を除去／分解する為の触媒とを備え、前記イオン発生電極が発生させた正負イオンにより、前記空気の汚染を浄化する空気浄化素子であって、前記触媒は、前記イオン発生電極に担持されていることを特徴とする。
【００６８】
この空気浄化素子では、イオン発生素子が、正負イオンを発生するイオン発生電極を有し、触媒が、空気の汚染物質を除去／分解し、イオン発生電極が発生させた正負イオンにより、空気の汚染を浄化する。触媒は、イオン発生電極に担持されている。
【００６９】
本発明に係る空気浄化素子は、前記触媒は、前記イオン発生電極が発生させた正負イオンが到達する領域内に配置されていることを特徴とする。
【００７０】
本発明に係る空気浄化素子は、前記触媒は、前記イオン発生電極に担持されていることを特徴とする。
【００７１】
本発明に係る空気浄化素子は、前記触媒を加熱する為の加熱手段を更に備えていることを特徴とする。
【００７２】
本発明に係る空気浄化装置は、本発明に係る空気浄化素子と、該空気浄化素子のイオン発生電極が発生させた正負イオンを外部へ放出する為の送風手段とを備えることを特徴とする。
【発明の効果】
【００７３】
本発明に係る空気浄化素子によれば、非生物由来の汚染原因（物質）の除去・分解の効果が、生物由来の汚染原因（物質）の除去・不活化効果と同程度に得ることが出来る空気浄化素子を実現することが出来る。
【００７４】
また、本発明に係る空気浄化素子によれば、正負イオンを発生する電極と触媒とが一体化した構造となるので、従来の図６に示すような、生物由来の汚染原因（物質）に対して効果を示す空気浄化素子と全く同一の大きさであり、また、衝撃等にも強い、生物由来の汚染原因（物質）と非生物由来の汚染原因（物質）との両方に効果を発揮する空気浄化素子を実現することができる。
【００７５】
また、本発明に係る空気浄化素子によれば、触媒を正負イオン濃度が少なくとも１千万個／ｃｍ3 以上の環境下に配置しているので、正負イオンが非生物由来の汚染原因（物質）に対しての助触媒効果を発揮し、無生物性の汚染原因（物質）の除去・分解に大きく貢献することが出来る。
【００７６】
また、本発明に係る空気浄化素子は、小型化が極めて容易であり、この空気浄化素子と、生物性の汚染原因（物質）を除去・不活化する正負イオンを空間に拡散する為の送風手段とを各種の装置に組み込むことにより、生物由来の汚染原因（物質）と、非生物由来の汚染原因（物質）との両方を効果的に除去・不活化・分解出来るような空気浄化装置を得ることができる。ここで、空気浄化装置としては、様々な形態が存在するが、例としては、エアコン、空気清浄機、ファンヒーター、送風機、掃除機、ハンディクリーナー、換気扇等を挙げることが出来る。
【００７７】
また、本発明に係る空気浄化装置によれば、非生物由来の汚染原因の除去・分解の効果が、生物由来の汚染原因の除去・不活化効果と同程度に得ることが出来る空気浄化装置を実現することが出来る。
【発明を実施するための最良の形態】
【００７８】
以下に、本発明をその実施の形態を示す図面に基づいて説明する。尚、本発明は、実施の形態により何ら制限を受けるものではない。
（実施の形態１）
本実施の形態１は、生物由来の汚染原因（物質）の除去・不活化に効果的な正負イオンを発生する正負イオン発生素子と、非生物由来の汚染原因（物質）の除去・分解に効果的な触媒とから構成された空気浄化素子である。
【００７９】
図１は、本発明に係る空気浄化素子の実施の形態１の構成を模式的に示す説明図であり、イオン発生電極１０３近傍の概略構成（一例）を示している。この空気浄化素子は、方形板形状のイオン発生素子１０１の片面に設けられた誘電体１２０上に、正負イオンを発生するイオン発生電極１０３が、格子状の電極パタン形状で形成されている。イオン発生電極１０３には、図示しない電源から交流の高電圧（多くの場合はパルス電圧）がリード線１２２により印加される。
イオン発生電極１０３の電極パタンの各筋で囲まれた各部分には、非生物由来の汚染原因に対する除去・分解効果を示す触媒（効果を示す物質）１１２が配置されている。
【００８０】
このようなイオン発生電極１０３の電極パタンの各筋で囲まれた部分においては、正負イオンの濃度が少なくとも１千万個／ｃｍ3 以上の超高濃度の環境となっている。このような環境に触媒１１２を設置することにより、正負イオンの電気的又は熱的な助触媒作用との相乗効果により、この空気浄化素子においては、非生物由来の汚染原因に対する除去・分解の効果が大幅に高められる。
従って、汚れた空気１０４が、この空気浄化素子付近を通過すると、非生物由来の汚染原因が除去・分解され、また、生物由来の汚染原因を除去・不活化する正負イオンを充分に含んだ空気１０６に変化する。
【００８１】
図２は、本発明に係る空気浄化素子の実施の形態１の他の構成を模式的に示す説明図であり、イオン発生電極２０３近傍の概略構成（一例）を示している。この空気浄化素子は、方形板形状のイオン発生素子２０１の片面に設けられた誘電体２２０上に、正負イオンを発生するイオン発生電極２０３が、格子状の電極パタン形状ではなく、直線の組み合わせからなる電極パタン形状で形成されている。イオン発生電極２０３には、図示しない電源から交流の高電圧（多くの場合はパルス電圧）がリード線２２２により印加される。
【００８２】
イオン発生電極２０３の電極パタンの各直線で挟まれた部分には、非生物由来の汚染原因に対する除去・分解効果を示す触媒（効果を示す物質）２１２が配置されている。このような触媒の配置により、正負イオンの電気的又は熱的な助触媒作用との相乗効果により、この空気浄化素子においては、非生物由来の汚染原因に対する除去・分解の効果が大幅に高められる。
従って、汚れた空気２０４が、この空気浄化素子付近を通過すると、非生物由来の汚染原因が除去・分解され、また、生物由来の汚染原因を除去・不活化する正負イオンを充分に含んだ空気２０６に変化する。
【００８３】
図３は、本発明に係る空気浄化素子の実施の形態１の他の構成を模式的に示す説明図であり、イオン発生電極３０３近傍の概略構成（一例）を示している。この空気浄化素子は、方形板形状のイオン発生素子３０１の片面に設けられた誘電体３２０上に、正負イオンを発生するイオン発生電極３０３が、格子状の電極パタン形状で形成されている。イオン発生電極３０３には、図示しない電源から交流の高電圧（多くの場合はパルス電圧）がリード線３２２により印加される。
触媒（効果を示す物質）３１２が、イオン濃度が極めて大きくなるイオン発生電極３０３の近傍に設置され、非生物由来の汚染原因を除去・分解する触媒３１２が、イオン発生電極３０３と一体型に形成されている。送風手段については図示を省略している。
【００８４】
このような構成の空気浄化素子では、送風手段（図示せず）により汚れた空気３０４が付近に送り込まれると、触媒（効果を示す物質）３１２の作用により、ＶＯＣ等の非生物由来の汚染原因が除去・分解される。このとき、触媒３１２は、超高濃度のイオンが存在する環境に配置されているので、イオン発生電極３０３で発生する正負イオンが、電気的又は熱的に助触媒的な作用を与えて、非生物由来の汚染原因に対する除去・分解の効果を高めている。
【００８５】
更に、汚れた空気３０４が、イオン発生素子３０１の誘電体３２０上に形成されたイオン発生電極３０３付近を通過すると、カビ、浮遊菌、ウイルス、花粉、ダニのアレルゲン成分等の生物由来の汚染原因も除去・不活化出来るイオンを充分に含んだ空気３０８となって、空間に放出されることになる。
以上のように、本発明に係る空気浄化素子により、生物由来の汚染原因（物質）と、非生物由来の汚染原因（物質）との両方を効果的に除去・不活化・分解することが可能であり、人体に対して無害な快適空間を提供することが出来る。
【００８６】
（実施の形態２）
図４は、本発明に係る空気浄化素子の実施の形態２の構成を模式的に示す説明図であり、イオン発生電極４０３近傍の概略構成（一例）を示している。この空気浄化素子は、方形板形状のイオン発生素子４０１の片面に設けられた誘電体４２０上に、正負イオンを発生するイオン発生電極４０３が、格子状の電極パタン形状で形成されている。イオン発生電極４０３には、図示しない電源から交流の高電圧（多くの場合はパルス電圧）がリード線４２２により印加される。
触媒（効果を示す物質）４１２が、イオン濃度が極めて大きくなるイオン発生電極４０３の近傍に設置され、非生物由来の汚染原因を除去・分解する触媒４１２が、イオン発生電極４０３と一体型に形成されている。送風手段については図示を省略している。
【００８７】
ここ迄は、上述した空気浄化素子（図３）と同様であるが、本実施の形態２の空気浄化素子は、更にイオン発生素子４０１に触媒（効果を示す物質）４１２を加熱する為の加熱手段４１３が設置されていることが特徴である。本実施の形態２の空気浄化素子では、加熱手段４１３として、ニクロム線による電熱線を内蔵している。ニクロム線に電圧を印加すると、電流が流れて温度上昇するので、触媒４１２の温度も併せて上昇する。
【００８８】
このような構成の空気浄化素子では、送風手段（図示せず）により汚れた空気４０４が付近に送り込まれると、触媒（効果を示す物質）４１２の作用により、ＶＯＣ等の非生物由来の汚染原因が除去・分解される。このとき、触媒４１２は、超高濃度のイオンが存在する環境に配置されているので、イオン発生電極４０３で発生する正負イオンが、電気的又は熱的に助触媒的な作用を与えて、非生物由来の汚染原因に対する除去・分解の効果を高めている。また、触媒４１２が加熱手段４１３により加熱されるので、更に触媒４１２の活性度が高くなり、ＶＯＣ等の非生物由来の汚染原因が除去・分解される割合が向上する。
【００８９】
更に、汚れた空気４０４が、イオン発生素子４０１の誘電体４２０上に形成されたイオン発生電極４０３付近を通過すると、カビ、浮遊菌、ウイルス、花粉、ダニのアレルゲン成分等の生物由来の汚染原因も除去・不活化出来るイオンを充分に含んだ空気４０８となって、空間に放出されることになる。
以上のように、本発明に係る空気浄化素子により、生物由来の汚染原因（物質）と、非生物由来の汚染原因（物質）の両方を効果的に除去・不活化・分解することが可能であり、人体に対して無害な快適空間を提供することが出来る。
【００９０】
尚、本実施の形態２の空気浄化素子では、加熱手段４１３をニクロム線による電熱線としたが、発熱方法は各種の手法が適用可能である。例えば、外部領域から、イオン発生素子４０１の触媒４１２部分にレーザーを照射することにより、ニクロム線を用いる場合よりも迅速に、触媒４１２の温度を上昇させることが出来る。触媒４１２の温度を素早く上昇させることが出来れば、非生物由来の汚染原因（物質）の除去・分解の効果及び速度を促進することが出来る。
【００９１】
（実施の形態３）
図５は、本発明に係る空気浄化素子を備える空気浄化装置の実施の形態３の概略構成を模式的に示す説明図である。この空気浄化装置５２３は、室内等の空間の汚れた空気５０４が、直方体形状の空気浄化装置５２３の前面中央部に設けられた空気吸込口５０５より取り込まれる。空気浄化装置５２３内部には、空気吸込口５０５上方に送風手段５０２が設けられており、送風手段５０２の上方には、実施の形態１又は２で説明した空気浄化素子５１０が設けられている。
【００９２】
このような構成の空気浄化装置５２３では、送風手段５０２により空気浄化素子５１０付近に送られた汚れた空気５０４は、空気浄化素子５１０に設けられた触媒（図示せず）により、非生物由来の汚染原因（物質）が除去・分解される。
非生物由来の汚染原因が除去・分解された空気５０４は、更に、空気浄化素子５１０のイオン発生電極（図示せず）で発生した正負イオン、即ち、カビ、浮遊菌、ウイルス、花粉及びダニのアレルゲン成分等の生物由来の汚染原因（物質）を除去・不活化出来る正負イオンを含んだ空気５０６に変化する。この変化した空気５０６は、送風手段５０２により、空気浄化装置５２３上面から室内空間に放出される。
このように、本発明に係る空気浄化装置５２３を用いることにより、生物由来の汚染原因（物質）と非生物由来の汚染原因（物質）との両方を除去・不活化・分解することが可能となる。
【図面の簡単な説明】
【００９３】
【図１】本発明に係る空気浄化素子の実施の形態１の構成を模式的に示す説明図である。
【図２】本発明に係る空気浄化素子の実施の形態１の他の構成を模式的に示す説明図である。
【図３】本発明に係る空気浄化素子の実施の形態１のさらに他の構成を模式的に示す説明図である。
【図４】本発明に係る空気浄化素子の実施の形態２の構成を模式的に示す説明図である。
【図５】本発明に係る空気浄化素子を備える空気浄化装置の実施の形態の概略構成を模式的に示す説明図である。
【図６】従来の空気浄化装置の概要構成例を模式的に示す説明図である。
【図７】従来の空気浄化装置の概要構成例を模式的に示す説明図である。
【図８】従来の空気浄化装置の概要構成例を模式的に示す説明図である。
【図９】従来の空気浄化装置の概要構成例を模式的に示す説明図である。
【符号の説明】
【００９４】
１０１，２０１，３０１，４０１  イオン発生素子
１０３，２０３，３０３，４０３  イオン発生電極
１１２，２１２，３１２，４１２  触媒（効果を示す物質）
１２０，２２０，３２０，４２０  誘電体
４１３  加熱手段
５０２  送風手段
５０５  空気吸込口
５１０  空気浄化素子
５２３  空気浄化装置
【図１】
2005224307.tif 000003
【図２】
2005224307.tif 000004
【図３】
2005224307.tif 000005
【図４】
2005224307.tif 000006
【図５】
2005224307.tif 000007
【図６】
2005224307.tif 000008
【図７】
2005224307.tif 000009
【図８】
2005224307.tif 000010
【図９】
2005224307.tif 000011